(57)【要約】  一実施形態では、方法は、ユーザ機器（ＵＥ）と第１のネットワークノードとの間の第１のチャネル品質指標を受信するステップと、前記ＵＥと第２のネットワークノードとの間の第２のチャネル品質指標を受信するステップと、を有する。前記方法は、前記第１のチャネル品質指標を処理するステップと、前記第２のチャネル品質指標を処理するステップと、を更に有する。
2017513259.tif 000002
【特許請求の範囲】
【請求項１】
ユーザ機器（ＵＥ）と第１のネットワークノードとの間の第１のチャネル品質指標を受信するステップと、
前記ＵＥと第２のネットワークノードとの間の第２のチャネル品質指標を受信するステップと、
前記第１のチャネル品質指標を処理するステップと、
前記第２のチャネル品質指標を処理するステップと、
を有する方法。
【請求項２】
前記第１及び第２のチャネル品質指標に従い、送信条件を決定するステップ、を更に有する請求項１に記載の方法。
【請求項３】
前記送信条件は、限定リソースサブフレーム条件である、請求項２に記載の方法。
【請求項４】
前記第１のネットワークノードにより無線ネットワーク制御部（ＲＮＣ）から前記送信条件を受信するステップ、を更に有する請求項２に記載の方法。
【請求項５】
前記第１のネットワークノードによりＲＮＣへ前記送信条件を送信するステップであって、前記送信条件は前記第２のネットワークノードへ向けられる、ステップ、を更に有する請求項２に記載の方法。
【請求項６】
前記送信条件は、トランスポートブロックサイズ条件、チャネル品質条件、コード数条件、及び変調条件を有するグループから選択される、請求項２に記載の方法。
【請求項７】
前記第１のネットワークノードはサービングノードであり、前記第２のネットワークノードは非サービングノードである、請求項１に記載の方法。
【請求項８】
前記非サービングノードは、前記ＵＥのアクティブセットに含まれる、請求項１又は７に記載の方法。
【請求項９】
前記非サービングノードは、前記ＵＥのアクティブセットに含まれない、請求項１又は７に記載の方法。
【請求項１０】
前記第１のチャネル品質指標及び前記第２のチャネル品質指標に従い、トランスポートブロックをスケジューリングするステップ、を更に有する請求項１に記載の方法。
【請求項１１】
前記第１のネットワークノードにより前記ＵＥへ前記スケジューリングされたトランスポートブロックを送信するステップ、を更に有する請求項１０に記載の方法。
【請求項１２】
前記の処理は、前記第１及び第２のチャネル品質指標を第３のネットワークノードへ送信するステップ、を更に有する請求項１に記載の方法。
【請求項１３】
無線ネットワーク制御部（ＲＮＣ）によりサービングノードへ送信パターンを送信するステップと、
前記ＲＮＣにより非サービングノードへ前記送信パターンを送信するステップと、
前記ＲＮＣにより、ユーザ機器（ＵＥ）と前記サービングノードとの間の第１のチャネルの品質及び前記ＵＥと前記非サービングノードとの間の第２のチャネルの品質を示す測定報告受信するステップと、
前記測定報告に従い、送信条件を決定するステップと、
を有する方法。
【請求項１４】
前記ＲＮＣにより前記非サービングノードへ前記送信条件を送信するステップ、を更に有する請求項１３に記載の方法。
【請求項１５】
前記測定報告は、第１のチャネルの第１の帯域内の電力密度で割ったチップあたりの共通パイロットチャネル（common  pilot  channel：ＣＰＩＣＨ）エネルギ（ＣＰＩＣＨ  Ｅｃ／Ｎｏ）及び第２のチャネルの第２のＣＰＩＣＨ  Ｅｃ／Ｎｏを有する、請求項１３に記載の方法。
【請求項１６】
前記ＲＮＣにより前記サービングノードへ前記送信パターンを送信するステップは、Ｉｕｂシグナリングで前記送信パターンを送信するステップを有する、請求項１３に記載の方法。
【請求項１７】
前記送信条件は、無線リソースサブフレーム条件である、請求項１３に記載の方法。
【請求項１８】
ユーザ機器（ＵＥ）と第２のサービングノードとの間の第１のチャネル品質指標を決定するステップと、
前記ＵＥと第１の非サービングノードとの間の第２のチャネル品質指標を決定するステップと、
前記第１のチャネル品質指標を送信するステップと、
前記第２のチャネル品質指標を送信するステップと、
を有する方法。
【請求項１９】
前記第１のチャネル品質指標を送信するステップは、ＨＳ−ＤＰＣＣＨ（high  speed  dedicated  physical  control  channel）により前記第１のチャネル品質指標を符号化するステップを有し、前記第２のチャネル品質指標を送信するステップは、ＨＳ−ＤＰＣＣＨにより前記第２のチャネル品質指標を符号化するステップを有する、請求項１８に記載の方法。
【請求項２０】
前記第１のチャネル品質指標を符号化するステップは、ＵＭＴＳ（universal  mobile  telecommunications  service）シングル周波数デュアルセル（ＳＦ−ＤＣ）モード又は多入力多出力（ＭＩＭＯ）モードで、前記第１のチャネル品質指標を符号化するステップを有する、請求項１９に記載の方法。
【請求項２１】
前記ＵＥにより無線ネットワーク制御部（ＲＮＣ）へ前記第１のチャネル品質指標を送信するステップと、
前記ＵＥにより前記ＲＮＣへ前記第２のチャネル品質指標を送信するステップと、
を更に有する請求項１８に記載の方法。
【請求項２２】
前記ＵＥと第２の非サービングノードとの間の第３のチャネル品質指標を決定するステップと、
前記第３のチャネル品質指標を送信するステップと、
を更に有する請求項１８に記載の方法。
【請求項２３】
無線ネットワーク制御部（ＲＮＣ）によりユーザ機器（ＵＥ）から第１のチャネル品質指標を受信するステップと、
前記ＲＮＣにより前記ＵＥから第２のチャネル品質指標を受信するステップと、
前記第１のチャネル品質指標を処理するステップと、
前記第２のチャネル品質指標を処理するステップと、
を有する方法。
【請求項２４】
前記第１のチャネル品質指標及び前記第２のチャネル品質指標に従い、送信条件を決定するステップと、
前記ＲＮＣにより第１のネットワークノードへ前記送信条件を送信するステップと、
を更に有する請求項２３に記載の方法。
【請求項２５】
前記ＲＮＣにより複数のネットワークノードへ前記送信条件を送信するステップ、を更に有する請求項２４に記載の方法。
【請求項２６】
第１のネットワークノードであって、
プロセッサと、
前記プロセッサによる実行のためのプログラミングを格納する非一時的コンピュータ可読記憶媒体と、
を有し、前記プログラミングは、
第１のユーザ機器（ＵＥ）と前記第１のネットワークノードとの間の第１のチャネル品質指標を受信し、
前記ＵＥと第２のネットワークノードとの間の第２のチャネル品質指標を受信し、
前記第１のチャネル品質指標を処理し、
前記第２のチャネル品質指標を処理する、ための命令を有する、第１のネットワークノード。
【請求項２７】
前記命令は、
前記第１のチャネル品質指標及び前記第２のチャネル品質指標に従い、トランスポートブロックをスケジューリングして、スケジューリングされたトランスポートブロックを生成するための命令を更に有する、請求項２６に記載の第１のネットワークノード。
【請求項２８】
前記命令は、前記ＵＥへ前記スケジューリングされたトランスポートブロックを送信するための命令を更に有する、請求項２７に記載の第１のネットワークノード。
【請求項２９】
復号化すべき前記命令は、前記第１及び第２のチャネル品質指標を第３のノードへ転送するための命令を更に有する請求項２６に記載の第１のネットワークノード。
【請求項３０】
前記命令は、
前記第１のチャネル品質指標、前記第２のチャネル品質指標、及び送信パターンに従い、トランスポートブロックをスケジューリングするための命令を更に有する、請求項２９に記載の第１のネットワークノード。
【請求項３１】
前記送信条件は、無線リソースサブフレーム（ＲＲＳ）条件である、請求項２６に記載の第１のネットワークノード。
【請求項３２】
前記第１のノードは、非サービングノードである、請求項２６に記載の第１のネットワークノード。
【請求項３３】
前記第１のノードは、サービングノードである、請求項２６に記載の第１のネットワークノード。
【請求項３４】
前記送信条件は、トランスポートブロックサイズ基準、チャネル品質条件、コード数条件、及び変調条件を有するグループから選択される、請求項３２又は３３に記載の第１のネットワークノード。
【請求項３５】
前記命令は、ＲＮＣへ前記送信条件を送信するための命令を更に有し、前記送信条件は、前記第２のノードに向けられる、請求項３３に記載の第１のネットワークノード。
【発明の詳細な説明】
【技術分野】
【０００１】
本願は、米国非仮出願番号第６１／９３３，５３８号、２０１４年１月３０日、名称「System  and  Method  for  CQI  Feedback  for  Coordinated  Scheduling」の利益を請求し、該出願は参照によりここに組み込まれる。
【０００２】
本発明は、無線通信のためのシステム及び方法に関し、特に、チャネル品質指標フィードバックのためのシステム及び方法に関する。
【背景技術】
【０００３】
異種ネットワーク（Ｈｅｔｎｅｔｓ）は、無線ネットワークにおけるネットワーク容量及びカバレッジを増大する。異種ネットワークは、高電力ノード（マクロノード）と低電力ノード（ＬＰＮ）との混合を有する。ユーザ機器（ＵＥ）は、より高いデータレートを利用するために、マクロノードからＬＰＮへオフロードされる。システム容量及びカバレッジ利得は、ＬＰＮにより提供される増大したスケジューリング機会から生じ得る。したがって、より多くのＵＥをマクロノードではなくＬＰＮによりサービスされるようオフロードすることは、Ｈｅｔｎｅｔ展開において有用である。オフロードの増大は、セル個別オフセット（Cell  Individual  Offset：ＣＩＯ）パラメータを用いることにより得ることができる。したがって、ＵＥは、サービングセルとしてＬＰＮを一層頻繁に選択する。ＣＩＯ値の増大により、ＬＰＮカバレッジは効率的に拡張され、ロージオメトリ（low  geometry）を有するより多くのＵＥがＬＰＮによりサービスされる。ＵＥにおける干渉除去（interference  cancellation：ＩＣ）の使用は、ロージオメトリＵＥの性能を助ける。ＩＣ能力を有するＵＥ（ＩＣ  ＵＥ）は、マクロノードのダウンリンク送信により生成される干渉をキャンセルする。ＩＣの効率は、干渉信号の強度及びフォーマットに関連し得る。
【発明の概要】
【０００４】
実施形態の方法は、ユーザ機器（ＵＥ）と第１のネットワークノードとの間の第１のチャネル品質指標を受信するステップと、前記ＵＥと第２のネットワークノードとの間の第２のチャネル品質指標を受信するステップと、を有する。前記方法は、前記第１のチャネル品質指標を処理するステップと、前記第２のチャネル品質指標を処理するステップと、を更に有する。
【０００５】
実施形態の方法は、無線ネットワーク制御部（ＲＮＣ）によりサービングノードへ、送信パターンを送信するステップと、前記ＲＮＣにより非サービングノードへ、前記送信パターンを送信するステップと、を有する。前記方法は、前記ＲＮＣにより、ユーザ機器（ＵＥ）と前記サービングノードとの間の第１のチャネルの品質及び前記ＵＥと前記非サービングノードとの間の第２のチャネルの品質を示す測定報告を受信するステップと、前記測定報告に従って送信条件を決定するステップと、を更に有する。
【０００６】
実施形態の方法は、ユーザ機器（ＵＥ）とサービングノードとの間の第１のチャネル品質指標を決定するステップと、前記ＵＥと第１の非サービングノードとの間の第２のチャネル品質指標を決定するステップと、を有する。前記方法は、前記第１のチャネル品質指標を送信するステップと、前記第２のチャネル品質指標を送信するステップと、を更に有する。
【０００７】
実施形態の第１のノードは、プロセッサと、前記プロセッサによる実行のためのプログラミングを格納する非一時的コンピュータ可読記憶媒体と、を有する。前記プログラミングは、ユーザ機器（ＵＥ）と第１のネットワークノードとの間の第１のチャネル品質指標を受信し、前記ＵＥと第２のネットワークノードとの間の第２のチャネル品質指標を受信するための命令を有する。前記プログラミングは、前記第１のチャネル品質指標を処理し、前記第２のチャネル品質指標を処理するための命令を更に有する。
【０００８】
以上に、本発明の詳細な説明が一層理解され得るように、本発明の実施形態の特徴を広範に概説した。本発明の実施形態の更なる特徴及び利点は、以下に記載される。これは、本発明の請求の範囲の主題を形成する。当業者に理解されるべきことに、開示の概念及び特定の実施形態は、本発明と同じ目的を実行するための他の構造又は処理を変更又は設計するための基礎として、直ちに理解することができる。さらに、当業者により理解されるべきことに、このような等価な構造は、添付の請求の範囲に記載の本発明の精神及び範囲から逸脱しない。
【図面の簡単な説明】
【０００９】
本発明並びにその利点のより完全な理解のため、添付の図と共に以下の説明を参照する。
【図１】チャネル品質指標（channel  quality  indicator：ＣＱＩ）不一致の一例を示す。
【図２】ＣＱＩ不一致を補償する一実施形態のスケジュールを示す。
【図３】ＣＱＩフィードバックのための一実施形態のシステムを示す。
【図４】ＣＱＩフィードバックのための別の実施形態のシステムを示す。
【図５】ＣＱＩフィードバックのための更なる実施形態のシステムを示す。
【図６】ＣＱＩフィードバックのための一実施形態のメッセージ図を示す。
【図７】ＣＱＩフィードバックのための別の実施形態のメッセージ図を示す。
【図８】ＣＱＩフィードバックのための更なる実施形態のメッセージ図を示す。
【図９】ユーザ機器（ＵＥ）により実行されるＣＱＩフィードバックの実施形態の方法のフローチャートを示す。
【図１０】サービングノードにより実行されるＣＱＩフィードバックの実施形態の方法のフローチャートを示す。
【図１１】干渉ノードにより実行されるＣＱＩフィードバックの実施形態の方法のフローチャートを示す。
【図１２】無線ネットワーク制御部（radio  network  controller：ＲＮＣ）により実行されるＣＱＩフィードバックの実施形態の方法のフローチャートを示す。
【図１３】実施形態のコンピュータシステムのブロック図を示す。
【００１０】
異なる図中の対応する数字及び記号は、特に断りのない限り、概して対応する部分を表す。図は、実施形態の関連する態様を明確に示すために描かれたものであり、必ずしも縮尺通りではない。
【発明を実施するための形態】
【００１１】
始めに理解されるべきことに、１又は複数の実施形態の説明的実装が以下に提供されるが、開示のシステム及び／又は方法は、現在知られているか既存かに関わらず任意の数の技術を用いて実装できる。本開示は、いかようにも、本願明細書に図示し記載する例示的設計及び実装を含む説明的実施形態、図面及び以下に記載する技術に限定されず、添付の請求の範囲の範囲内で該請求の範囲の等価範囲全てに従って変更できる。
【００１２】
チャネル品質指標（ＣＱＩ）推定の不正確さは、干渉除去（ＩＣ）ユーザ機器（ＵＥ）（ＵＥ  ＩＣ）の性能を劣化させることがある。除去効率は、干渉のトランスポートフォーマット、及び干渉の瞬間チャネル状態に関連する。サービングセルがＩＣ  ＵＥをスケジューリングするとき、除去効率は変化し得る。干渉のスケジューリングされたトランスポートフォーマットは、ＩＣ  ＵＥ及びそのサービングセルにとって予測可能ではない。チャネル状態も変化する。図１は、ＣＱＩ不一致の一例を示す。グラフ１１２は、送信時間間隔（ＴＴＩ）ＴＴＩ＿１において送信される小さなＴＢＳであるトランスポートブロックサイズ（ＴＢＳ）１１４を有するマクロＵＥ１と、ＴＴＩ＿２において送信される大きなＴＢＳであるＴＢＳ１１６を有するマクロＵＥ２と、に対してスケジューリングされたマクロＵＥを示す。グラフ１１８は、ＩＣ  ＵＥにおいて測定されたＣＱＩ、つまりＴＴＩ＿１におけるＴＢＳ１１４に関連する高ＣＱＩであるＣＱＩ１２０と、ＴＴＩ＿２におけるＴＢＳ１１６に関連する低ＣＱＩであるＣＱＩ１２２と、を示す。ＵＥからネットワークへの送信及びネットワークノードにおける分散遅延に起因する、ＣＱＩフィードバック遅延が存在する。グラフ１２４は、ＬＰＮ  ＩＣ  ＵＥのスケジューリングされたＣＱＩ、つまりＣＱＩ１２６を示し、このＣＱＩは、ＴＴＩ＿１における送信を表すので、高ＣＱＩである。
【００１３】
ＣＱＩ１２２とＣＱＩ１２６との間にＣＱＩ不一致が存在する。
【００１４】
スケジューリング協調は、ＣＱＩ不一致を解決するために用いることができる。マクロノード及び低電力ノード（ＬＰＮ）におけるスケジューリングは協調され、限定リソースサブフレーム（restricted  resource  subframe：ＲＲＳ）と呼ばれる幾つかのサブフレームでは、マクロセルスケジューラは、マクロノードからのダウンリンク（ＤＬ）送信のスケジューリングに対して制約を適用する。ネットワークノードは、基地局、ＮｏｄｅＢ、拡張ＮｏｄｅＢ（ｅＮＢ）、アクセスポイント、マクロセル、ピコセル、フェムトセル、ＬＰＮ、又は別の無線拡張装置のような、ＵＥによる無線アクセスを提供できる任意のコンポーネントであっても良い。ＵＥは、携帯電話機、スマートフォン、タブレット、センサ、等のようなネットワークノードとの無線接続を確立できる任意のコンポーネントであっても良い。限定されたリソースは、トランスポートブロック（ＴＢ）サイズ、ＣＱＩ値、変調タイプ、コード数、及び他の因子を含み得る。ＲＲＳの間のより安定した又は予測可能な干渉のために、サービングセルは、ＩＣ  ＵＥに対してより正確なＴＢサイズをスケジューリングでき、ＣＱＩ不一致を低減する。
【００１５】
図２は、協調スケジューリング方式に基づくＲＲＳパターンを示す。マクロセルでは、限定リソースサブフレームであるＴＴＩ１３８及びＴＴＩ１４０のような幾つかの特定のＴＴＩにおいて、いくつかの予め定められたトランスポートフォーマットのみが送信される。非ＲＲＳフレームであるＴＴＩ１４２、ＴＴＩ１４４、ＴＴＩ１４６、及びＴＴＩ１４８のような他のＴＴＩでは、マクロセルにより送信されるトランスポートフォーマットに対していかなる条件も存在しない。ＬＰＮ側では、ＬＰＮは、より高い優先度を有する限定リソースサブフレームにＬＰＮ  ＩＣ  ＵＥをスケジューリングする。ネットワーク負荷に依存して、異なるＲＲＳパターンが用いられる。
【００１６】
協調スケジューリングは、安定した干渉環境でＬＰＮによりサービスされるＵＥをスケジューリングすることを目的とする。同一チャネルのシナリオでは、マクロノードとＬＰＮとの間でスケジューリング状態を動的に交換することは問題がある。パターンに基づく協調スケジューリングは、期待されるＲＲＳパターンがマクロノード及びＬＰＮで予め設定される、マクロノードとＬＰＮとの間の協調スケジューリングをサポートする。スケジューリングでは、マクロノードは、予め設定されたパターンに従い、期待されるＲＲＳパターンを生成する。ＬＰＮは、予め設定されたパターンに基づき、良好な干渉構造を有する特定のサブフレームにのみ、セル端のＩＣ  ＵＥをスケジューリングする。パターンに基づく協調スケジューリングは、ＩＣ  ＵＥのＩＣ利得を引き出す。
【００１７】
ＲＲＳの間、マクロノードにおけるダウンリンク送信のために割り当てられるべきリソース（例えば、トランスポートフォーマット）を選択するための条件が存在しても良い。これが上位レイヤシグナリングにより静的に設定されるとき、ＩＣ効率が異なるＲＲＳ間でも変化するので、性能が劣化し得る。チャネル状態は、フェージング及びＩＣ  ＵＥ位置に基づき変化し、ＩＣ効率に影響を与える。チャネル状態は、協調スケジューリング方式において、干渉ノード（マクロノード）には分からなくても良い。ＲＲＳのトランスポートフォーマットを選択する条件は、柔軟であり、干渉非サービングノード（マクロノード）とＬＰＮカバレッジの端にあるＩＣ  ＵＥとの間のチャネル状態に基づき動的に更新される。干渉セルとＩＣ  ＵＥとの間のチャネル状態の知識が用いられても良い。
【００１８】
一実施形態は、ＩＣ  ＵＥから非サービングノードへの、非サービングノードにおけるチャネル状態に関するフィードバックシグナリングを提供する。このフィードバックは、ＩＣ  ＵＥにより非サービングノードへ直接送信されても良く、又はサービングノードから非サービングノードへ無線ネットワーク制御部（radio  network  controller：ＲＮＣ）を通じて中継されても良い。一実施形態の方法は、干渉（非サービング）セルと端のＩＣ  ＵＥとの間のチャネル状態について、ネットワークに知らせる。Ｈｅｔｎｅｔ展開を表すこのシナリオでは、非サービングノードはマクロノードであり、サービングノードはＬＰＮである。実施形態は、全てのネットワークノードが同じ電力で送信し、１つのネットワークノードはサービングノードであり、１又は複数のネットワークノードはＩＣ  ＵＥのための非サービングノードである、異種ネットワークにも適用される。非サービングノードは、アクティブセットに含まれても良く、アクティブセットに含まれなくても良い。
【００１９】
一実施形態は、非サービングセルのＣＱＩを、サービングセルに又はサービングセルと非サービングセルの両方に、フィードバックする。ＩＣ能力の知識は、ＵＥをスケジューリングする／オフロードするために用いられても良い。実施形態は、ユニバーサルモバイルテレコミュニケーションサービス（universal  mobile  telecommunications  service：ＵＭＴＳ）異種ネットワーク、並びにネットワークノード、ＵＥ、等のような装置の中で実施されても良い。
【００２０】
一実施形態のＩＣ  ＵＥでは、２つのＣＱＩ値、つまり、サービングセルからのリンクに基づき測定されるサービングセルＣＱＩであるＣＱＩｓｅｒｖｉｎｇ  ｃｅｌｌ，ＩＣ  ＵＥと、干渉セルからのＣＱＩｉｎｔｅｒｆｅｒｉｎｇ  ｃｅｌｌ，ＩＣ  ＵＥと、が評価され報告される。ＩＣ  ＵＥのサービングセル、例えばＨｅｔｎｅｔの中のＬＰＮは、ＬＰＮ端にあるＩＣ  ＵＥをＲＲＳにスケジューリングする。また、全てのＩＣ  ＵＥの報告された干渉ＣＱＩ値を用いる干渉ノード、例えばＨｅｔｎｅｔの中のマクロセルは、干渉ノードとＩＣ  ＵＥとの間のチャネル状態を評価する。これらのチャネル状態に基づき、干渉ノード、例えばＨｅｔｎｅｔの中のマクロノードは、干渉トランスポート構造の条件を選択し、したがって、ＩＣ効率は、Ｈｅｔｎｅｔの中のピコセルのようなサービングセルの中のＩＣ  ＵＥのＲＲＳにおいて安定する。
【００２１】
一実施形態では、ＲＮＣは、Ｉｕｂシグナリングを用いて、マクロセルへのＲＲＳのトランスポートフォーマットの長期間半静的条件を設定する。ここで、Ｉｕｂは、ＲＮＣとネットワークノードとの間の論理インタフェースである。条件は、ＩＣ  ＵＥにより報告される測定値に基づき、ＲＮＣにより決定されても良い。
【００２２】
別の実施形態では、トランスポートフォーマットの条件は、干渉セル（Ｈｅｔｎｅｔの中のマクロノード）とＩＣ  ＵＥ（Ｈｅｔｎｅｔの中のＬＰＮ  ＩＣ  ＵＥ）との間のチャネルの信号対干渉及び雑音比（signal  to  interference  plus  noise  ratio：ＳＩＮＲ）に関連する。したがって、トランスポートフォーマットの条件は、干渉セルとＩＣ  ＵＥとの間のチャネル状態に基づき決定される。干渉セルのＣＱＩ値は、ネットワークに報告される。サービングセルからのＣＱＩ値であるＣＱＩｓｅｒｖｉｎｇ  ｃｅｌｌ，ＩＣ  ＵＥに加えて、ＩＣ  ＵＥは、干渉セルからのＣＱＩ値であるＣＱＩｉｎｔｅｒｆｅｒｉｎｇ  ｃｅｌｌ，ＩＣ  ＵＥを評価し、それをネットワークに報告する。これら２つのＣＱＩ値は、高速専用物理制御チャネル（high  speed  dedicated  physical  control  channel：ＨＳ−ＤＰＣＣＨ）により、干渉セル（マクロノード）とサービングノード（ＬＰＮ）との両方に報告される。ＨＳ−ＤＰＣＣＨの符号化は、シングル周波数デュアルセル（single  frequency  dual  cell：ＳＦ−ＤＣ）モードで符号化されても良く、又は多入力多出力（multiple-input  multiple-output：ＭＩＭＯ）モードで符号化されても良い。代替で、これら２つのＣＱＩ値は、ＨＳ−ＤＰＣＣＨによりサービングセルにのみ報告される。次に、サービングセルは、干渉ＣＱＩの関連情報を干渉セルに転送する。
【００２３】
図３は、ＲＮＣにより管理されるＣＱＩフィードバックのためのシステム１５０を示す。ＲＲＳの間のマクロノードに対する条件は、ＲＮＣにより決定される。したがって、干渉は、特定のＩＣ効率で除去され得る。ＲＲＳでは、マクロノードは、ＲＲＳ条件に適合するダウンリンクフレームのみを、特定のＩＣ効率を有するＬＰＮ端ＩＣ  ＵＥにスケジューリングする。カバレッジエリア１６４を有するマクロノード１５８は、マクロＵＥ１５６と通信する。カバレッジ領域１６４の中に、カバレッジ領域１６２を有するＬＰＮ１５２である。ＬＰＮはＩＣ  ＵＥ１５４と通信する。ＲＲＳに、ＬＰＮは、ＬＰＮ１５２のセル端に位置するＩＣ  ＵＥをスケジューリングしても良い。ＲＮＣ１６０は、Ｉｕｂシグナリングを用いて、ＬＰＮ１５２及びマクロノード１５８に、長期間半静的ＲＲＳパターンを設定する。これは、マクロノード及びＬＰＮにＲＲＳパターンを設定する。
【００２４】
ＩＣ  ＵＥ１５４は、ＩＣ  ＵＥ１５４とＬＰＮ１５２との間のチャネルに対して、及びＩＣ  ＵＥ１５４とマクロノード１５８との間のチャネルに対して、チャネル状態の測定を実行する。測定は、測定された希望波受信電力（received  signal  code  power：ＲＳＣＰ）又は帯域内の電力密度で割ったチップあたりの共通パイロットチャネル（common  pilot  channel：ＣＰＩＣＨ）エネルギ（ＣＰＩＣＨ  Ｅｃ／Ｎｏ）であっても良い。測定は、ＲＮＣ１６０に報告され、例えばＬＰＮ１５２又はマクロノード１５８により中継される。
【００２５】
ＲＳＳ条件は、ＩＣ  ＵＥ１５４により報告されＬＰＮ１５２又はマクロノード１５８により中継される測定値に基づき、ＲＮＣ１６０により決定される。報告される測定値は、サービングセル及び干渉セルの両方のＲＳＰＣ又はＣＰＩＣＨ  Ｅｃ／Ｎｏを含んでも良い。ＲＮＣ１６０は、干渉セルとサービングセルとの間のＩＣ  ＵＥ１５４のＣＰＩＣＨ差を決定しても良い。より大きなＣＰＩＣＨ差は、ＬＰＮ１５２からＩＣ  ＵＥ１５４への信号が相対的に弱く、マクロノード１５８からＩＣ  ＵＥ１５４への信号が相対的に強いことを示す。ＩＣ  ＵＥがマクロノード１５８に近いほど、より大きなＩＣ利得が達成され得る。また、ＲＮＣ１６０は、マクロノード１５８及びＬＰＮ１５２からのＣＰＩＣＨ  Ｅｃ／Ｎｏに基づき、ＩＣ  ＵＥ１５４の平均マクロＣＱＩ及びＬＰＮ  ＣＱＩを決定しても良い。別の例では、ＲＮＣに報告される情報は、ＩＣ  ＵＥ１５４の位置及びＩＣ利得に関する情報を有しても良い。位置情報は、近い、中程度、遠いのような位置カテゴリ、又は位置のより詳細な記述を有しても良い。ＩＣ利得は、大きい、中程度、又は小さいＩＣ利得のような粗いカテゴリ、又はより詳細な記述に基づいても良い。ＲＮＣ１６０からマクロノード１５８へのシグナリングは、位置及び／又はＩＣ利得情報をマクロノード１５８に中継しても良い。マクロノード１５８は、ＵＥの位置を知っているとき、この情報を用いて、ダウンリンクスケジューリングを強化しても良い。
【００２６】
ポストデコーディングＩＣ  ＵＥを有する一例では、ＲＳＳ条件は、干渉セルの中でスケジューリングされたトランスポートブロックサイズの閾である。ＲＲＳに、閾より小さいトランスポートブロックサイズのみが、干渉セル（マクロセル）の中でスケジューリングされる。プレデコーディングＩＣ  ＵＥを有する別の例では、ＲＳＳ条件は、ＲＳＳにおける変調タイプ、及び／又はＲＳＳの中で使用されるコードの数の閾である。指定された変調のみが、ＲＳＳに対し、マクロセルの中で使用される。
【００２７】
ＲＮＣ１６０は、マクロノード１５８にＲＳＳ条件を知らせる。この条件は、Ｉｕｂシグナリングを用いて送信されても良い。マクロノード１５８は、次に、ＲＳＳについて示されたトランスポートフォーマット条件に基づき、ＲＲＳに対する条件を満たすトランスポートブロックをスケジューリングする。
【００２８】
図４は、マクロノードにより決定される動的ＲＲＳ条件を用いるＣＱＩフィードバックのためのシステム１７０を示す。ＲＲＳ条件が決定され、したがって、干渉は特定のＩＣ効率で除去され得る。マクロノード１７８は、カバレッジエリア１８４を有し、マクロＵＥ１７６と通信する。カバレッジエリア１８４の中のＬＰＮ１７２は、カバレッジエリア１８２を有する。ＩＣ  ＵＥ１７４は、ＬＰＮ１７２及びマクロノード１７８の両方と通信する。ここで、ＬＰＮ１７２はサービングノードであり、マクロノード１７８は干渉ノードである。ＲＮＣ１８０は、Ｉｕｂシグナリングを用いて、ＬＰＮ１７２及びマクロノード１７８の両方と通信する。
【００２９】
ＲＮＣ１８０は、ＲＲＳパターンの情報を、マクロノード１７８及びＬＰＮ１７２へ送信する。ＲＲＳ条件は、干渉セル（マクロノード１７８）とＩＣ  ＵＥ（ＩＣ  ＵＥ１７４）との間のチャネルのＳＩＮＲに関連する。ＲＲＳ条件は、干渉セルと関連するＩＣ  ＵＥとの間のチャネル状態に基づく。サービングセルのＣＱＩ値であるＣＱＩｓｅｒｖｉｎｇ  ｃｅｌｌ，ＩＣ  ＵＥ、及び干渉セルからのＣＱＩ値であるＣＱＩｉｎｔｅｒｆｅｒｉｎｇ  ｃｅｌｌ，ＩＣ  ＵＥは、マクロノード１７８及びＬＰＮ１７２の両方に、高速専用物理制御チャネル（ＨＳ−ＤＰＣＣＨ）を用いて報告される。これら２つのＣＱＩ値は、ＩＣ  ＵＥにより、ＨＳ−ＤＰＣＣＨで、マクロノード及びＬＰＮの両方に報告される。両方のＣＱＩ値を用いることにより、マクロノードは、干渉セルとＣＱＩ値を報告したＩＣ  ＵＥとの間のチャネル状態に関する情報を有する。これらのチャネル状態に基づき、干渉ノードは、ＲＲＳをスケジューリングするためのＲＲＳ条件を選択する。異なるＲＲＳ条件が、異なる状況で用いられても良い。ＩＣ  ＵＥは、モード２（ＮＡＩＣ＿ｍモード又はＮＡＩＣ−ＲＲＳ＿ｍモード）で構成されるので、マクロノード１７８及びＬＰＮ１７２の両方にＣＱＩ値をフィードバックする。ＨＳ−ＤＰＣＣＨの符号化は、ＳＦ−ＤＣモード又はＭＩＭＯモードであっても良い。干渉ＣＱＩは、指定された条件が満たされるときフィードバックされ、フィードバックオーバヘッドを削減し得る。一例では、干渉ＣＱＩの報告は、推定干渉ＣＱＩと報告閾との間の関係に基づき決定される。ＳＦ−ＤＣ符号化が用いられ、干渉ＣＱＩが報告閾より低いとき、ＩＣ  ＵＥは、ＳＦ−ＤＣを用いて干渉ＣＱＩについてゼロ値（不連続送信（ＤＴＸ）値）を報告し、推定干渉ＣＱＩが報告閾より高いとき、ＩＣ  ＵＥは、干渉ＣＱＩ及びサービングセルＣＱＩを報告する。別の例では、ＭＩＭＯ符号化が用いられる場合、推定干渉ＣＱＩが報告閾より低いとき、ＩＣ  ＵＥは、サービングセルＣＱＩのみを報告し、干渉ＣＱＩは報告されない。推定干渉ＣＱＩが報告閾より高いとき、ＩＣ  ＵＥは、干渉ＣＱＩ及びサービングセルＣＱＩを報告する。更なる例では、干渉ＣＱＩの報告は、オーバヘッドを削減するために、フィードバックサイクルと共に設定される。
【００３０】
ＬＰＮ１７２は、２つのＣＱＩ値を抽出し復号化する。次に、ＬＰＮ１７２は、ＣＱＩ値に基づき高優先度を有するＲＲＳにＬＰＮ  ＩＣ  ＵＥをスケジューリングする。ＬＰＮは、高干渉ＣＱＩを有するＬＰＮ端ＩＣ  ＵＥを、高優先度を有するＲＲＳにスケジューリングするので、これらのＬＰＮ端ＩＣ  ＵＥは、低干渉を有するＲＲＳの間にスケジューリングされる。
【００３１】
マクロノード１７８も、２つのＣＱＩ値を抽出し復号化する。全ての報告されたＣＱＩＭａｃｒｏ，ＬＰＮ  ＵＥ値に基づき、マクロノードは、ＲＲＳ条件を決定する。次に、ＲＲＳの間、トランスポートブロックはＲＲＳ条件を満たすためにスケジューリングされる。
【００３２】
一例では、ポストデコーディングＩＣ  ＵＥについて、ＲＳＳ条件は、干渉セルの中でトランスポートブロックサイズの閾である。ＲＲＳに、閾より小さいサイズを有するトランスポートブロックのみが、干渉セルの中でスケジューリングされる。別の例では、ポストデコーディングＩＣ  ＵＥについて、条件は、トランスポートブロックサイズ閾又はＣＱＩ閾である。マクロセルは、特定の間隔［ａ，ｂ］の範囲内のＣＱＩ値を有するマクロＵＥをスケジューリングする。ここで、ＲＲＳにおいて、ａ＝ｆ（ＣＱＩ＿ｉ）及びｂ＝ｇ（ＣＱＩ＿ｉ）である。
【００３３】
別の例では、プレコーディングＩＣ  ＵＥについて、ＲＲＳ条件は、ＲＲＳにおける変調タイプである。代替で、ＲＲＳ条件は、コード数の閾である。一例では、変調ＲＲＳ条件が適用される場合、報告される干渉ＣＱＩ値の最大又は平均が第１の閾より小さいとき、ＱＰＳＫ（quadrature  phase  key  shifting）変調がＲＲＳで用いられ、報告される干渉ＣＱＩ値の最大又は平均が第１の閾より大きく第２の閾より小さいとき、ＱＰＳＫ及び１６ＱＡＭ（quadrature  amplification  modulation）がＲＲＳで用いられる。報告される干渉ＣＱＩの最大又は平均値が第２の閾より大きいとき、変調に課される条件は存在しない。コード制約ＲＲＳが適用される別の例では、報告される干渉ＣＱＩの最大又は平均値が第１の閾より小さいとき、ＨＳ−ＤＰＣＣＨのコード数は、ＲＲＳの第１のコード数より少なく、報告される干渉ＣＱＩの最大又は平均値が第１の閾より大きく第２の閾より小さいとき、ＨＳ−ＤＰＣＣＨのコード数は、ＲＲＳの第２のコード数より少ない。
【００３４】
図５は、ＲＲＳ条件を有するＣＱＩフィードバックのためのシステム１９０を示す。ＲＲＳ条件は、ＩＣ効率で干渉を除去するために用いられる。ＲＲＳにおいて、ＩＣ  ＵＥの干渉セル（マクロノード１９８）は、ＲＲＳ条件に基づきスケジューリングする。カバレッジエリア２０４を有するマクロノード１９８は、マクロＵＥ１９６と通信する。
【００３５】
カバレッジエリア２０４には、カバレッジエリア２０２を有するＬＰＮ１９２と通信するＩＣ  ＵＥ１９４もある。ＬＰＮ１９２及びマクロノード１９８は、ＲＮＣ２００と通信する。ＬＰＮ１９２はサービングセルであり、一方で、マクロノード１９８はＩＣ  ＵＥ１９４にとって干渉セルである。
【００３６】
ＲＮＣ２００は、Ｉｕｂシグナリングを用いて、マクロセルのＲＲＳパターンを設定する。ＲＮＣ２００は、ＲＲＳパターンにより、ＬＰＮ１９２及びマクロノード１９８にＩｕｂシグナリングを送信する。
【００３７】
干渉セルのＣＱＩ値、及びサービングセルのＣＱＩ値は、ネットワークに報告される。ＩＣ  ＵＥ１９４は、モード１（ＮＡＩＣモード又はＮＡＩＣ−ＲＲＳモード）で構成されるので、ＣＱＩ値をＬＰＮ１９２に報告するが、マクロノード１９８には報告しない。ＩＣ  ＵＥは、サービングセルのＣＱＩ及び干渉セルのＣＱＩを評価し、ＭＩＭＯ又はＳＦ−ＤＣ符号化を伴うＨＳ−ＤＰＣＣＨを送信のために使用する。
【００３８】
干渉ＣＱＩを報告する際に、干渉ＣＱＩがフィードバックされても良く、及び／又はサービングセル指定条件、フィードバックオーバヘッドを削減する。２つの干渉ＣＱＩを報告する際に、干渉ＣＱＩの報告は、推定干渉ＣＱＩと報告閾との間の関係に基づき決定されても良い。ＳＦ−ＤＣ符号化が用いられ、推定干渉ＣＱＩが報告閾より小さいとき、ＩＣ  ＵＥは、ＳＦ−ＤＣの下で干渉ＣＱＩについてゼロ値（ＤＴＸ）を報告する。他方で、ＳＦ−ＤＣ符号化が用いられ、推定干渉ＣＱＩが報告閾より大きい又は等しいとき、ＩＣ  ＵＥは、干渉セルＣＱＩ及びサービングセルＣＱＩをネットワークに報告する。ＭＩＭＯ符号化が用いられ、推定干渉ＣＱＩが報告閾より低いとき、ＵＥは、サービングセルＣＱＩのみを報告し、干渉ＣＱＩは報告されない。ＭＩＭＯ符号化が用いられ、推定干渉ＣＱＩが報告閾より大きい又は等しいとき、ＩＣ  ＵＥは、干渉セルＣＱＩ及びサービングセルＣＱＩを報告する。代替で、干渉ＣＱＩの報告は、より長いフィードバックで設定されても良い。
【００３９】
ＬＰＮ１９２は、ＨＳ−ＤＰＣＣＨ信号を検出し、２つのＣＱＩ値を復号化する。サービングセル（ＬＰＮ１９２）は、ＣＱＩ値又はＲＲＳ条件のような情報を、マクロノード１９８に直接的に又はＲＮＣ２００を通じて間接的に転送する。ＬＰＮ１９２は、ＣＱＩ値及びＲＲＳパターンに基づき、ＬＰＮ端ＩＣ  ＵＥを、高優先度を有するＲＲＳにスケジューリングする。例えば、高い干渉ＣＱＩを有するＬＰＮ端ＩＣ  ＵＥは、ＲＲＳにスケジューリングされる。
【００４０】
マクロノード１９８は、ＩＣ  ＵＥからＨＳ−ＤＰＣＣＨ信号を検出しない。マクロノード１９８は、ＬＰＮ１９２から直接的に又はＲＮＣ２００を通じて、転送された干渉ＣＱＩ値を受信する。ＣＱＩ値が受信されると、マクロノード１９８はＲＲＳ条件を決定する。ポストデコーディングＵＥを有する一例では、ＲＳＳ条件は、干渉セルの中でスケジューリングされたトランスポートブロックサイズの閾である。ＲＲＳに、閾より小さいサイズを有するトランスポートブロックのみが、スケジューリングされる。プレコーディングＩＣ  ＵＥを有する別の例では、ＲＲＳ条件は、ＲＲＳにおける変調タイプである。ＲＲＳ条件は、コード数の閾であっても良い。ＲＲＳで、閾より少ないコード数を有するフレームのみが、スケジューリングされる。ポストデコーディングＩＣ  ＵＥを有する一例では、ＲＲＳ条件はＣＱＩ閾である。一例では、マクロセルは、この閾より小さいＣＱＩ値を有するマクロＵＥをＲＲＳにスケジューリングする。マクロノードは、間隔［ａ，ｂ］にあるＣＱＩ値のＴＢＳを有する特定のマクロＵＥをスケジューリングする。ここで、ａ＝ｆ（ＣＱＩ＿ｉ）及びｂ＝ｇ（ＣＱＩ＿ｉ）である。プレデコーディングＩＣ  ＵＥを有する一例では、ＲＳＳ条件は、ＲＳＳにおける変調タイプ、又はＲＳＳで使用されるコード数の閾である。変調ＲＲＳが適用される場合、報告される干渉ＣＱＩ値の最大又は平均値が第１の閾より小さいとき、ＱＰＳＫ変調がＲＲＳで用いられる。ＣＱＩ値の最大又は平均値が第１の閾より大きく又は等しいが、第２の閾より小さいとき、ＱＰＳＫ又は１６ＱＡＭ変調がＲＲＳで使用される。報告される干渉ＣＱＩの最大又は平均値が第２の閾より大きいとき、変調に課される条件は存在しない。コード制約ＲＲＳ条件が適用される場合、報告される干渉ＣＱＩ値の最大又は平均値が第１の閾より小さいとき、ＨＳ−ＤＰＣＣＨのコード数はＲＲＳの第１のコード数より少ない。他方で、報告される干渉ＣＱＩ値の最大又は平均値が第１の閾より大きく又は等しいが、第２の閾より小さいとき、ＨＳ−ＤＰＣＣＨのコード数は、ＲＲＳにおける第２のコード数より少ない。平均又は最大ＣＱＩが第２の閾より大きいとき、コード数制約は存在しない。
【００４１】
図６は、ＲＮＣによる、ＲＲＳ条件を用いるＣＱＩフィードバックのためのメッセージ図２１０を示す。先ず、ＲＮＣ２１８は、マクロセルのＲＲＳパターン設定を決定する。ＲＮＣ２１８は、Ｉｕｂシグナリングを用いて、ＲＲＳ協調のために、ＲＲＳパターンをＬＰＮ２１４及びマクロノード２１６に伝達する。
【００４２】
次に、ＩＣ  ＵＥ２１２は、サービングセル及び干渉セルに関連する測定を実行する。測定は、希望波受信電力（ＲＳＣＰ）又はＣＰＩＣＨ  Ｅｃ／Ｎｏ測定値であっても良い。これらの測定値は、測定報告の中でＲＮＣ２１８に伝達される。それらは、ＬＰＮ２１４へ送信されてＲＮＣ２１８へ転送され、又はＲＮＣ２１８へ直接送信されても良い。
【００４３】
ＲＮＣ２１８は、測定報告に基づき、トランスポート測定のための条件を決定する。一例では、ＬＰＮのＣＰＩＣＨ  Ｅｃ／Ｎｏ及びマクロノードのＣＰＩＣＨ  Ｅｃ／Ｎｏに基づくＣＰＩＣＨ差が決定される。より大きなＣＰＩＣＨ差は、ＩＣ  ＵＥがマクロノードの近くに居て、高い干渉を有し得ることを示し得る。また、マクロセル及びＬＰＮの平均ＣＱＩ値は、マクロノードからのＣＰＩＣＨ  Ｅｃ／Ｎｏ及びＬＰＮからのＣＰＩＣＨ  Ｅｃ／Ｎｏに基づき決定されても良い。別の例では、測定は、ＩＣ  ＵＥの位置及びＩＣ利得を有し、ダウンロードスケジューリングを強化するために使用されても良い。
【００４４】
ＲＮＣ２１８は、Ｉｕｂメッセージのようなメッセージを、マクロセルのＲＲＳ条件を有するマクロノード２１６へ送信する。マクロノードは、次に、ＲＲＳ条件及びＲＲＳパターンに基づき、スケジューリングを実行する。ＩＣ  ＵＥの位置情報も受信されても良い。これは、ダウンロードスケジューリングを強化し得る。ポストデコーディングＩＣ  ＵＥを有する一例では、ＲＳＳ条件は、干渉セルのスケジューリングされたトランスポートブロックサイズについての閾であり、ＲＲＳに、閾より小さいトランスポートブロックサイズのみがスケジューリングされる。プレデコーディングＩＣ  ＵＥを有する別の例では、ＲＲＳ条件は、変調タイプ及び／又はコード数の閾であり、ＲＲＳに、指定された変調のみがマクロセルの中でスケジューリングされ、又は閾より少ないコード数のみがスケジューリングされる。ＬＰＮは、ＲＲＳパターンに基づきフレームをスケジューリングしても良い。
【００４５】
図７は、干渉ノードにより実行される動的ＲＲＳ条件を用いるメッセージ図２２０を示す。ＲＮＣ２２８は、先ず、マクロセルにＲＲＳパターンを設定するために、マクロノード２２６及びＬＰＮ２２４へパラメータを送信する。この送信のために、Ｉｕｂシグナリングが使用されても良い。
【００４６】
ＩＣ  ＵＥ２２２は、サービングセル及び干渉セルのＣＱＩ値を推定する。これら２つのＣＱＩ値は、ＬＰＮ２２４へ及びマクロノード２２６へ、ＨＳ−ＤＰＣＣＨ符号化を用いて報告される。ＳＦ−ＤＣ符号化又はＭＩＭＯ符号化が用いられても良い。干渉ＣＱＩ及び／又はサービングセルＣＱＩは、報告閾が満たされるときのみ、報告されても良い。
【００４７】
ＬＰＮ２２４は、２つのＣＱＩ値を検出し復号化し、これら２つのＣＱＩ値に基づき、最高優先度を有するＲＲＳに、高い干渉を有するＩＣ  ＵＥのようなＩＣ  ＵＥをスケジューリングする。ＲＲＳパターンは、スケジューリングのために用いられる。
【００４８】
マクロノード２２６も、２つのＣＱＩ値を抽出し復号化し、ＣＱＩ値に基づきＲＲＳ条件を決定する。ＲＲＳのトランスポートブロックは、チャネル条件に基づきスケジューリングされる。一例では、ＲＲＳ条件は、スケジューリングされるトランスポートブロックの閾サイズである。ここで、閾より小さいサイズを有するトランスポートブロックのみが、マクロセルの中で、ＲＲＳにスケジューリングされる。別の例では、ＲＲＳ条件は、ＣＱＩ閾である。ここで、特定間隔の範囲内のＣＱＩ値を有するマクロＵＥがスケジューリングされる。更なる例では、ＲＲＳ条件は、変調タイプである。ここで、変調タイプは、閾より小さい又は閾と閾との間のＣＱＩ値に制限される。ＲＮＣ２２８からのＲＲＳパタ―ンは、スケジューリングにおいて使用される。
【００４９】
図８は、ＲＲＳ条件を決定するためにＣＱＩフィードバックを用いるメッセージ図２３０を示す。ＲＮＣ２３８は、例えばＩｕｂシグナリングをＬＰＮ２３４及びマクロノード２３６に送信することにより、マクロセルのＲＲＳパターンを設定する。
【００５０】
ＩＣ  ＵＥ２３２は、サービングセル及び干渉セルの両方のＣＱＩ値を推定する。ＣＱＩ値は、ＭＩＭＯ又はＳＦ−ＤＣ符号化によりＨＳ−ＤＰＣＣＨを用いて、ＬＰＮ２３４へ送信される。ＣＱＩ値は、時折送信されるのみでも良い。例えば、ＣＱＩ値の一方又は両方は、推定された干渉ＣＱＩが閾より小さいとき、送信されなくても良い。別の例では、長いフィードバックが用いられても良い。
【００５１】
ＬＰＮ２３４は、全部のＩＣ  ＵＥについて、ＨＳ−ＤＰＣＣＨから２つのＣＱＩ値を検出し抽出する。一例では、ＬＰＮ２３４は、ＣＱＩ値をマクロノード２３６へ、例えばＲＮＣ２３８を介して転送し、マクロノード２３６はＲＲＳ条件を決定する。別の例では、ＬＰＮ２３４は、ＲＲＳ条件を決定し、ＲＲＳ条件をマクロノード２３６へ、例えばＲＮＣ２３８を通じて送信する。ＬＰＮは、ＲＲＳ条件を決定するとき、ＣＱＩ値に基づき閾を計算しても良い。閾は、トランスポートブロックサイズ、コード数、ＣＱＩ、変調方式、又は別の因子であっても良い。また、ＬＰＮは、ＣＱＩ値に基づき、エッジＩＣ  ＵＥを、高優先度を有するＲＲＳにスケジューリングする。ここで、ＲＲＳパターンは、スケジューリングにおいて使用される。
【００５２】
マクロノード２３６は、ＩＣ  ＵＥからのＨＳ−ＤＰＣＣＨ信号を検出しないが、例えばＲＮＣ２３８を通じて又は直接にＬＰＮ２３４からＣＱＩ情報及び／又は条件を受信する。ＣＱＩ値が受信されると、マクロノード２３６は、ＲＲＳ条件を決定する。これは、ＲＲＳのスケジューリングされるトランスポートブロックサイズの閾、ＲＲＳにおける所要の変調タイプ、ＲＲＳにおけるコード数の閾、又はＣＱＩ閾であっても良い。
【００５３】
図９は、ＩＣ  ＵＥにより実行されるチャネル状態フィードバックの実施形態の方法のフローチャート２４０を示す。先ず、ステップ２４２で、ＩＣ  ＵＥは、サービングセル及び非サービングセルのチャネル状態指標を推定する。また、サービングノード及び非サービングノードのＲＳＰＣ及び／又はＣＰＩＣＨ  Ｅｃ／Ｎｏの測定が実行されても良い。
【００５４】
次に、ステップ２４４で、ステップ２４２からの情報が送信される。一例では、ＲＳＰＣ測定及び／又はＣＰＩＣＨ  Ｅｃ／Ｎｏは、ＲＮＣへ直接に又はサービングノードを通じて送信される。他の例では、チャネル状態指標は、サービングノードへ、又はサービングノード及び非サービングノードの両方へ、ＳＦ−ＤＣ又はＭＩＭＯ符号化によるＨＳ−ＤＰＣＣＨ符号化を用いて送信される。チャネル状態指標は、時折、例えば干渉ＣＱＩ値が閾より高いとき、送信されるだけでも良い。干渉ＣＱＩ値が閾より低いとき、ＣＱＩ値の一方又は両方は報告されなくても良い。別の例では、ＣＱＩ値は、設定されたフィードバックサイクルを用いて報告される。
【００５５】
最後に、ステップ２４６で、ＩＣ  ＵＥは、サービングノードと通信する。サービングノードは、この通信のためにＲＲＳスケジュールを調整する。
【００５６】
図１０は、ＬＰＮのようなサービングノードにより実行されるチャネル状態フィードバックの実施形態の方法のフローチャート２５０を示す。先ず、ステップ２５２で、サービングノードは、例えばマクロセルのｔパターンである送信パターンを設定するために、ＩｕｂシグナリングをＲＮＣから受信する。
【００５７】
次に、ステップ２５４で、サービングノードは、ＩＣ  ＵＥから、ＣＱＩ値のようなチャネル状態指標を受信する。チャネル状態指標は、ＳＦ−ＤＣ符号化又はＭＩＭＯ符号化を用いて、ＨＳ−ＤＰＣＣＨ符号化されても良い。サービングノードは２つのチャネル状態指標を復号化し抽出する。
【００５８】
次に、ステップ２５６で、サービングノードは、２つのチャネル状態指標に基づき、送信条件を決定しても良い。送信条件は、ＲＲＳ条件又は別の送信条件であっても良い。幾つかの実施形態では、ステップ２５６は実行されない。一例では、条件は、トランスポートブロック閾である。他の例では、条件は、コード数の閾、変調方式、又はＣＱＩ閾である。
【００５９】
ステップ２５７で、サービングノードはメッセージを送信する。サービングノードは、ステップ２５４で受信したチャネル状態指標を転送し、又はステップ２５６からの送信条件を用いても良い。幾つかの実施形態では、ステップ２５７は実行されない。一例では、チャネル状態指標は、非サービングノードへ転送される。別の例では、送信条件は、マクロセルへ又はマクロセルを宛先とするＲＮＣへ送信される。
【００６０】
ステップ２５８で、サービングノードは、ステップ２５２で受信した送信パターンを用いてＩＣ  ＵＥをスケジューリングする。高優先度を有するＩＣ  ＵＥは、送信パターンの中でスケジューリングされる。例えば、高い干渉ＣＱＩ値を有するサービングノードカバレッジエリアの端にいるＩＣ  ＵＥは、送信パターンの間にスケジューリングされるべき高い優先度を有する。
【００６１】
最後に、ステップ２５９で、サービングノードは、ステップ２５８からのスケジュールに基づき、ＩＣ  ＵＥと通信する。サービングノードは、ＲＲＳの間にスケジューリングされたＩＣ  ＵＥへ信号を送信し、それから信号を受信する。
【００６２】
図１１は、マクロノードのような非サービングノードにより実行される、送信条件を伴うチャネル状態フィードバックの方法のフローチャート２６０を示す。先ず、ステップ２６２で、非サービングノードは、例えばＩｕｂシグナリングを用いて、ＲＮＣから送信パターン設定情報を受信する。
【００６３】
次に、ステップ２６４で、非サービングノードは、ＩＣ  ＵＥから直接に又はサービングノード若しくはＲＮＣを通じて、チャネル状態指標又は送信条件を受信する。一例では、非サービングノードは、各々のＩＣ  ＵＥから、２つのチャネル状態指標を受信する。チャネル状態指標は、ＨＳ−ＤＰＣＣＨ符号化を用いて、例えばＳＦ−ＤＣ又はＭＩＭＯ符号化を用いて、受信されても良い。チャネル状態指標は、サービングセル又はＲＮＣを通じて中継されても良い。非サービングノードはチャネル状態指標を抽出し復号化する。別の例では、非サービングノードは、例えばＲＮＣから又はサービングノードから、送信条件を受信する。
【００６４】
ステップ２６６で、非サービングノードは、チャネル状態指標に基づき、送信条件を決定する。他の実施形態では、ステップ２６６は実行されない。送信条件は、トランスポートブロック条件、コード数条件、ＣＱＩ条件、変調条件、又は送信パターンの間の別の条件であっても良い。
【００６５】
ステップ２６８で、非サービングノードは、ステップ２６２において受信された送信パターンに基づきステップ２６６において決定された又はステップ２６４における送信条件に基づき、ＵＥをスケジューリングする。送信パターンの間のＵＥは、ＩＣ  ＵＥとの干渉を回避するために選択される。
【００６６】
最後に、ステップ２６９で、非サービングノードは、ステップ２６８で決定されたスケジュールを用いて、ＵＥと通信する。非サービングノードは、メッセージを送信し及び受信する。
【００６７】
図１２は、ＲＮＣにより実行される送信条件を有するチャネル状態フィードバックの実施形態の方法のフローチャート３１０を示す。先ず、ステップ３１４で、ＲＮＣは、非サービングセルの中のＲＲＳパターン設定情報である情報（info）を送信する。送信パターン設定は、非サービングノード及びサービングノードへ、Ｉｕｂシグナリングを用いて送信されても良い。
【００６８】
次に、ステップ３１６で、ＲＮＣは、ＩＣ  ＵＥから生じる測定報告を受信する。測定報告は、ＬＰＮのようなサービングセルにより伝達されても良い。測定報告は、サービングセル及び非サービングセルのＲＳＣＰ又はＣＰＩＣＨ  Ｅｃ／Ｎｏのような、サービングセルチャネル及び非サービングセルチャネルについての情報を含む。一例では、ＩＣ  ＵＥの位置及び／又は利得見込みが受信される。これは、送信条件を決定する際に使用されても良い。
【００６９】
次に、ステップ３１８で、ＲＮＣは、測定報告に基づき送信条件を決定する。サービングノード及び非サービングノードのＣＰＩＣＨ  Ｅｃ／Ｎｏに基づく、ＩＣ  ＵＥのＣＰＩＣＨ差が決定されても良い。ＣＰＩＣＨ差が大きいほど、ＩＣ  ＵＥがサービングノードから遠く、非サービングノードに近く、干渉する傾向があることを示す。ＩＣ  ＵＥがマ非サービングノードに近いほど、より大きなＩＣ利得が必要とされ得る。送信条件は、非サービングノードの送信パターンのトランスポートフォーマットであっても良い。また、平均セルチャネル状態及びサービングセルチャネル状態は、ＣＰＩＣＨ  Ｅｃ／Ｎｏに基づき決定されても良い。一例では、位置情報又はＩＣ利得は、スケジューリングの際に使用される。
【００７０】
最後に、ステップ３２０で、ＲＮＣは、例えばＩｕｂシグナリングを用いて、ステップ３１８で決定された送信条件をＵＥへ送信する。
【００７１】
図１３は、本願明細書に開示の装置及び方法を実施するために使用され得る処理システム２７０のブロック図を示す。特定の装置は、図示の全てのコンポーネントを、又はコンポーネントのうちの一部のみを用いても良く、統合のレベルは装置によって変わっても良い。さらに、装置は、複数の処理ユニット、プロセッサ、メモリ、送信機、受信機、等のようなコンポーネントの複数のインスタンスを有しても良い。処理システムは、マイクロフォン、マウス、タッチスクリーン、キーパッド、キーボード、等のような１又は複数の入力装置を備えた処理ユニットを有しても良い。また、処理システム２７０は、スピーカ、プリンタ、ディスプレイ、等のような１又は複数の出力装置を備えても良い。処理ユニットは、バスに接続されるＣＰＵ（central  processing  unit）２７４、メモリ２７６、大容量記憶装置２７８、ビデオアダプタ２８０、及びＩ／Ｏインタフェース２８８を有しても良い。
【００７２】
バスは、メモリバス又はメモリ制御部、周辺機器バス、ビデオバス、等を含む任意の種類の複数のバスアーキテクチャのうちの１又は複数であっても良い。ＣＰＵ２７４は、任意の種類の電子データプロセッサを有しても良い。メモリ２７６は、ＳＲＡＭ（static  random  access  memory）、ＤＲＡＭ（dynamic  random  access  memory）、ＳＤＲＡＭ（synchronous  DRAM）、ＲＯＭ（read-only  memory）、それらの組合せ、等のような任意の種類の非一時的システムメモリを有しても良い。一実施形態では、メモリは、ブートアップで使用するＲＯＭ、プログラムの実行中に使用するプログラム及びデータ記憶のためのＤＲＡＭを有しても良い。
【００７３】
大容量記憶装置２７８は、データ、プログラム、及び他の情報を格納し及びデータ、プログラム、及び他の情報をバスを介してアクセス可能にするよう構成される任意の種類の非一時的記憶装置を有しても良い。大容量記憶装置２７８は、例えば、固体ドライブ、ハードディスクドライブ、磁気ディスクドライブ、光ディスクドライブ、等のうちの１又は複数を有しても良い。
【００７４】
ビデオアダプタ２８０及びＩ／Ｏインタフェース２８８は、外部入力及び出力装置を処理ユニットに結合するインタフェースを提供する。図示のように、入力及び出力装置の例は、ビデオアダプタに結合されるディスプレイ、及びＩ／Ｏインタフェースに結合されるマウス／キーボード／プリンタを有する。他の装置が処理ユニットに結合されても良く、追加の又はより少ないインタフェースカードが利用されても良い。例えば、シリアルインターフェースカード（図示しない）は、プリンタのためのシリアルインターフェースを提供するために用いられても良い。
【００７５】
処理ユニットは、ノード又は異なるネットワークにアクセスするためにＥｔｈｅｒｎｅｔケーブル等のような有線リンク及び／又は無線リンクを有しても良い１又は複数のネットワークインタフェース２８４も有する。ネットワークインタフェース２８４は、処理ユニットがネットワークを介してリモートユニットと通信できるようにする。例えば、ネットワークインタフェースは、１又は複数の送信機／送信アンテナ及び１又は複数の受信機／受信アンテナにより無線通信を提供しても良い。一実施形態では、処理ユニットは、データ処理、及び他の処理ユニット、インターネット、リモート記憶設備、等のようなリモート装置との通信のために、ローカルエリアネットワーク又はワイドエリアネットワークに結合される。
【００７６】
幾つかの実施形態が本開示で提供されたが、開示のシステム及び方法は、本開示の精神又は範囲から逸脱することなく、多くの他の特定の形式で実施されても良いことが理解される。本例は、説明として考えられるべきであり、制限であると考えられるべきではない。また、意図は、ここに与えた詳細事項に限定されない。例えば、種々の要素又は構成要素は、別のシステムに結合され又は統合されても良い。或いは、特定の特徴が省略され又は実装されなくても良い。
【００７７】
さらに、種々の実施形態で分散又は別個として記載され図示された技術、システム、サブシステム、及び方法は、本開示の範囲から逸脱することなく、他のシステム、モジュール、技術又は方法に結合され又は統合されても良い。互いに結合され又は直接結合され又は通信するとして示され又は議論された他のアイテムは、電気的に、機械的に又は他の方法かに関わらず、特定のインタフェース、装置又は中間構成要素を通じて間接的に結合され又は通信しても良い。変更、置換及び代替の他の例は、当業者により解明可能であり、本開示の精神及び範囲から逸脱することなく行われ得る。
【図１】
2017513259.tif 000003
【図２】
2017513259.tif 000004
【図３】
2017513259.tif 000005
【図４】
2017513259.tif 000006
【図５】
2017513259.tif 000007
【図６】
2017513259.tif 000008
【図７】
2017513259.tif 000009
【図８】
2017513259.tif 000010
【図９】
2017513259.tif 000011
【図１０】
2017513259.tif 000012
【図１１】
2017513259.tif 000013
【図１２】
2017513259.tif 000014
【図１３】
2017513259.tif 000015
【手続補正書】
【提出日】平成28年9月12日(2016.9.12)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）と第１のネットワークノードとの間の第１のチャネル品質指標を受信するステップと、
前記ＵＥと第２のネットワークノードとの間の第２のチャネル品質指標を受信するステップと、
前記第１のチャネル品質指標を処理するステップと、
前記第２のチャネル品質指標を処理するステップと、
を有する方法。
【請求項２】
前記第１及び第２のチャネル品質指標に従い、送信条件を決定するステップ、を更に有する請求項１に記載の方法。
【請求項３】
前記送信条件は、限定リソースサブフレーム条件である、請求項２に記載の方法。
【請求項４】
前記第１のネットワークノードにより無線ネットワーク制御部（ＲＮＣ）から前記送信条件を受信するステップ、を更に有する請求項２に記載の方法。
【請求項５】
前記第１のネットワークノードによりＲＮＣへ前記送信条件を送信するステップであって、前記送信条件は前記第２のネットワークノードへ向けられる、ステップ、を更に有する請求項２又は３に記載の方法。
【請求項６】
前記送信条件は、トランスポートブロックサイズ条件、チャネル品質条件、コード数条件、及び変調条件を有するグループから選択される、請求項２乃至５のいずれか一項に記載の方法。
【請求項７】
前記第１のネットワークノードはサービングノードであり、前記第２のネットワークノードは非サービングノードである、請求項１乃至６のいずれか一項に記載の方法。
【請求項８】
前記非サービングノードは、前記ＵＥのアクティブセットに含まれる、請求項７に記載の方法。
【請求項９】
前記非サービングノードは、前記ＵＥのアクティブセットに含まれない、請求項７に記載の方法。
【請求項１０】
前記第１のチャネル品質指標及び前記第２のチャネル品質指標に従い、トランスポートブロックをスケジューリングするステップ、を更に有する請求項１乃至９のいずれか一項に記載の方法。
【請求項１１】
前記第１のネットワークノードにより前記ＵＥへ前記スケジューリングされたトランスポートブロックを送信するステップ、を更に有する請求項１０に記載の方法。
【請求項１２】
前記第１及び第２のチャネル品質指標を第３のネットワークノードへ送信するステップ、を更に有する請求項１乃至１１のいずれか一項に記載の方法。
【請求項１３】
無線ネットワーク制御部（ＲＮＣ）によりサービングノードへ送信パターンを送信するステップと、
前記ＲＮＣにより非サービングノードへ前記送信パターンを送信するステップと、
前記ＲＮＣにより、ユーザ機器（ＵＥ）と前記サービングノードとの間の第１のチャネルの品質及び前記ＵＥと前記非サービングノードとの間の第２のチャネルの品質を示す測定報告を受信するステップと、
前記測定報告に従い、送信条件を決定するステップと、
を有する方法。
【請求項１４】
前記ＲＮＣにより前記非サービングノードへ前記送信条件を送信するステップ、を更に有する請求項１３に記載の方法。
【請求項１５】
前記測定報告は、第１のチャネルの第１の帯域内の電力密度で割ったチップあたりの共通パイロットチャネル（common  pilot  channel：ＣＰＩＣＨ）エネルギ（ＣＰＩＣＨ  Ｅｃ／Ｎｏ）及び第２のチャネルの第２のＣＰＩＣＨ  Ｅｃ／Ｎｏを有する、請求項１３又は１４に記載の方法。
【請求項１６】
前記ＲＮＣにより前記サービングノードへ前記送信パターンを送信するステップは、Ｉｕｂシグナリングで前記送信パターンを送信するステップを有する、請求項１３乃至１５のいずれか一項に記載の方法。
【請求項１７】
前記送信条件は、無線リソースサブフレーム条件である、請求項１３乃至１６のいずれか一項に記載の方法。
【請求項１８】
ユーザ機器（ＵＥ）と第２のサービングノードとの間の第１のチャネル品質指標を決定するステップと、
前記ＵＥと第１の非サービングノードとの間の第２のチャネル品質指標を決定するステップと、
前記第１のチャネル品質指標を送信するステップと、
前記第２のチャネル品質指標を送信するステップと、
を有する方法。
【請求項１９】
前記第１のチャネル品質指標を送信するステップは、ＨＳ−ＤＰＣＣＨ（high  speed  dedicated  physical  control  channel）により前記第１のチャネル品質指標を符号化するステップを有し、前記第２のチャネル品質指標を送信するステップは、ＨＳ−ＤＰＣＣＨにより前記第２のチャネル品質指標を符号化するステップを有する、請求項１８に記載の方法。
【請求項２０】
前記第１のチャネル品質指標を符号化するステップは、ＵＭＴＳ（universal  mobile  telecommunications  service）シングル周波数デュアルセル（ＳＦ−ＤＣ）モード又は多入力多出力（ＭＩＭＯ）モードで、前記第１のチャネル品質指標を符号化するステップを有する、請求項１９に記載の方法。
【請求項２１】
前記ＵＥにより無線ネットワーク制御部（ＲＮＣ）へ前記第１のチャネル品質指標を送信するステップと、
前記ＵＥにより前記ＲＮＣへ前記第２のチャネル品質指標を送信するステップと、
を更に有する請求項１８乃至２０のいずれか一項に記載の方法。
【請求項２２】
前記ＵＥと第２の非サービングノードとの間の第３のチャネル品質指標を決定するステップと、
前記第３のチャネル品質指標を送信するステップと、
を更に有する請求項１８乃至２１のいずれか一項に記載の方法。
【請求項２３】
無線ネットワーク制御部（ＲＮＣ）によりユーザ機器（ＵＥ）から第１のチャネル品質指標を受信するステップと、
前記ＲＮＣにより前記ＵＥから第２のチャネル品質指標を受信するステップと、
前記第１のチャネル品質指標を処理するステップと、
前記第２のチャネル品質指標を処理するステップと、
を有する方法。
【請求項２４】
前記第１のチャネル品質指標及び前記第２のチャネル品質指標に従い、送信条件を決定するステップと、
前記ＲＮＣにより第１のネットワークノードへ前記送信条件を送信するステップと、
を更に有する請求項２３に記載の方法。
【請求項２５】
前記ＲＮＣにより複数のネットワークノードへ前記送信条件を送信するステップ、を更に有する請求項２４に記載の方法。
【請求項２６】
第１のネットワークノードであって、
プロセッサと、
前記プロセッサによる実行のためのプログラミングを格納する非一時的コンピュータ可読記憶媒体と、
を有し、前記プログラミングは、
第１のユーザ機器（ＵＥ）と前記第１のネットワークノードとの間の第１のチャネル品質指標を受信し、
前記ＵＥと第２のネットワークノードとの間の第２のチャネル品質指標を受信し、
前記第１のチャネル品質指標を処理し、
前記第２のチャネル品質指標を処理する、ための命令を有する、第１のネットワークノード。
【請求項２７】
前記命令は、
前記第１のチャネル品質指標及び前記第２のチャネル品質指標に従い、トランスポートブロックをスケジューリングして、スケジューリングされたトランスポートブロックを生成するための命令を更に有する、請求項２６に記載の第１のネットワークノード。
【請求項２８】
前記命令は、前記ＵＥへ前記スケジューリングされたトランスポートブロックを送信するための命令を更に有する、請求項２７に記載の第１のネットワークノード。
【請求項２９】
前記命令は、前記第１及び第２のチャネル品質指標を第３のノードへ転送するための命令を更に有する請求項２６乃至２８のいずれか一項に記載の第１のネットワークノード。
【請求項３０】
前記命令は、
前記第１のチャネル品質指標、前記第２のチャネル品質指標、及び送信パターンに従い、トランスポートブロックをスケジューリングするための命令を更に有する、請求項２６乃至２９のいずれか一項に記載の第１のネットワークノード。
【請求項３１】
前記命令は、
前記第１のチャネル品質指標及び前記第２のチャネル品質指標に従い、送信条件を決定する命令を更に有する、請求項３０に記載の第１のネットワークノード。
【請求項３２】
前記送信条件は、無線リソースサブフレーム（ＲＲＳ）条件である、請求項３１に記載の第１のネットワークノード。
【請求項３３】
前記第１のネットワークノードは、非サービングノードである、請求項２６乃至３２のいずれか一項に記載の第１のネットワークノード。
【請求項３４】
前記第１のネットワークノードは、サービングノードである、請求項２６乃至３２のいずれか一項に記載の第１のネットワークノード。
【請求項３５】
前記送信条件は、トランスポートブロックサイズ基準、チャネル品質条件、コード数条件、及び変調条件を有するグループから選択される、請求項３１に記載の第１のネットワークノード。
【請求項３６】
前記命令は、ＲＮＣへ前記送信条件を送信するための命令を更に有し、前記送信条件は、前記第２のネットワークノードに向けられる、請求項３１に記載の第１のネットワークノード。
【手続補正２】
【補正対象書類名】明細書
【補正対象項目名】００３８
【補正方法】変更
【補正の内容】
【００３８】
干渉ＣＱＩを報告する際に、干渉ＣＱＩがフィードバックされ、及び／又は指定条件でサービングセルにフィードバックされても良く、フィードバックオーバヘッドを削減する。２つの干渉ＣＱＩを報告する際に、干渉ＣＱＩの報告は、推定干渉ＣＱＩと報告閾との間の関係に基づき決定されても良い。ＳＦ−ＤＣ符号化が用いられ、推定干渉ＣＱＩが報告閾より小さいとき、ＩＣ  ＵＥは、ＳＦ−ＤＣの下で干渉ＣＱＩについてゼロ値（ＤＴＸ）を報告する。他方で、ＳＦ−ＤＣ符号化が用いられ、推定干渉ＣＱＩが報告閾より大きい又は等しいとき、ＩＣ  ＵＥは、干渉セルＣＱＩ及びサービングセルＣＱＩをネットワークに報告する。ＭＩＭＯ符号化が用いられ、推定干渉ＣＱＩが報告閾より低いとき、ＵＥは、サービングセルＣＱＩのみを報告し、干渉ＣＱＩは報告されない。ＭＩＭＯ符号化が用いられ、推定干渉ＣＱＩが報告閾より大きい又は等しいとき、ＩＣ  ＵＥは、干渉セルＣＱＩ及びサービングセルＣＱＩを報告する。代替で、干渉ＣＱＩの報告は、より長いフィードバックで設定されても良い。
【国際調査報告】
2017513259.tif 000016
2017513259.tif 000017
2017513259.tif 000018